(57)【要約】【課題】光源の数を３倍に見せることによって輝度ムラを抑えて美観を高めることができる車両用灯具を提供すること。【解決手段】ハウジングとその開口部を覆うアウタレンズによって画成された灯室内に、ＬＥＤ（光源）５とリフレクタ６から成る光源ユニット７を収容して構成されるアクセサリランプ（車両用灯具）において、前記リフレクタ６に、ＬＥＤ５に隣接して該ＬＥＤ５からの光を所定の方向に反射させる第１の反射面６ａと、該第１の反射面６ａの周縁から光の出射方向に略平行に延設された高さの異なる第２及び第３の反射面６ｂ，６ｃを設けるとともに、第１の反射面６ａの高さｈ１をＬＥＤ５の高さｈよりも低く設定し、第２及び第３の反射面６ｂ，６ｃの高さｈ２，ｈ３をＬＥＤ５の高さｈよりも高く設定するとともに、第３の反射面６ｃの高さｈ３を第２の反射面６ｂの高さｈ２よりも低く設定する。【選択図】図５
2014041766.tif 000002
【特許請求の範囲】
【請求項１】
ハウジングとその開口部を覆うアウタレンズによって画成された灯室内に、光源と該光源から出射される光を反射させるリフレクタから成る光源ユニットを収容して構成される車両用灯具において、
前記光源ユニットのリフレクタに、前記光源に隣接して該光源からの光を所定の方向に反射させる第１の反射面と、該第１の反射面の周縁から光の出射方向に略平行に延設された高さの異なる第２及び第３の反射面を設けるとともに、
前記第１の反射面の高さを前記光源の高さよりも低く設定し、前記第２及び第３の反射面の高さを前記光源の高さよりも高く設定するとともに、前記第３の反射面の高さを前記第２の反射面の高さよりも低く設定したことを特徴とする車両用灯具。
【請求項２】
前記第２及び第３の反射面の高さを、前記光源と前記第３の反射面の先端内端縁とを結んだ直線が光の出射方向に対して成す角度が３９°、前記第３の反射面に写る写像の光源と前記第２の反射面の先端内端縁とを結んだ直線が光の出射方向に対して成す角度が５８°以下となるよう設定したことを特徴とする請求項１記載の車両用灯具。
【発明の詳細な説明】
【技術分野】
【０００１】
本発明は、ＬＥＤ（発光ダイオード）等を光源とするアクセサリランプ等の車両用灯具に関するものである。
【背景技術】
【０００２】
例えば、車両のフロントバンパに埋め込まれるアクセサリランプは、ハウジングとその開口部を覆うアウタレンズによって画成された灯室内に、ＬＥＤ等の光源と該光源から出射される光を反射させるリフレクタから成る複数の光源ユニットを一列に配列して収容することによって構成されている。
【０００３】
斯かるアクセサリランプにおいては、各光源ユニットの光源から出射される光は、その一部がアウタレンズに直接達し、他の光はリフレクタによって反射した後にアウタレンズに達し、双方の光がアウタレンズに施されたレンズカットによって適宜拡散されることによって所望の配光が得られるようになっている。
【０００４】
アクセサリランプ等の車両用灯具に関して特許文献１には、図７の断面図に示すように光源であるＬＥＤ１０５とリフレクタ１０６を備えた光源ユニット１０７において、リフレクタ１０６に、正面から見た状態で開口部の形状が略矩形となるよう成形された円錐状内面である第１の反射面１０６ａと、該第１の反射面１０６ａの開口部の１辺から光の出射方向（図７の左方）に略平行に延設された第２の反射面１０６ｂを形成する構成が提案されている。このような車両用灯具１０１によれば、リフレクタ１０６の第２の反射面１０６ｂを光の出射方向に対して略平行な平面としたため、ＬＥＤ１０５を点灯したときには、図７に鎖線にて示すようにＬＥＤ１０５の写像１０５’が生じ、ＬＥＤ１０５の数が倍増しているように見えて輝度ムラが抑えられ、当該車両用灯具１０１の見栄えが高められる。
【先行技術文献】
【特許文献】
【０００５】
【特許文献１】特開２０００−２７６９０５号公報
【発明の概要】
【発明が解決しようとする課題】
【０００６】
しかしながら、特許文献１において提案された図７に示す車両用灯具１０１においては、光源であるＬＥＤ１０５の数が倍増したように見えるだけで、それ以上にＬＥＤ１０５の数が増えたように見せることができず、輝度ムラを更に抑えて当該車両用灯具１０１の美観の更なる向上を図るには限界があった。
【０００７】
本発明は上記問題に鑑みてなされたもので、その目的とする処は、光源の数を３倍に見せることによって輝度ムラを抑えて美観を高めることができる車両用灯具を提供することにある。
【課題を解決するための手段】
【０００８】
上記目的を達成するため、請求項１記載の発明は、ハウジングとその開口部を覆うアウタレンズによって画成された灯室内に、光源と該光源から出射される光を反射させるリフレクタから成る光源ユニットを収容して構成される車両用灯具において、
前記光源ユニットのリフレクタに、前記光源に隣接して該光源からの光を所定の方向に反射させる第１の反射面と、該第１の反射面の周縁から光の出射方向に略平行に延設された高さの異なる第２及び第３の反射面を設けるとともに、
前記第１の反射面の高さを前記光源の高さよりも低く設定し、前記第２及び第３の反射面の高さを前記光源の高さよりも高く設定するとともに、前記第３の反射面の高さを前記第２の反射面の高さよりも低く設定したことを特徴とする。
【０００９】
請求項２記載の発明は、請求項１記載の発明において、前記第２及び第３の反射面の高さを、前記光源と前記第３の反射面の先端内端縁とを結んだ直線が光の出射方向に対して成す角度が３９°、前記第３の反射面に写る写像の光源と前記第２の反射面の先端内端縁とを結んだ直線が光の出射方向に対して成す角度が５８°以下となるよう設定したことを特徴とする。
【発明の効果】
【００１０】
本発明によれば、光源ユニットのリフレクタに、光源に隣接して該光源からの光を所定の方向に反射させる第１の反射面と、該第１の反射面の周縁から光の出射方向に略平行に延設された高さの異なる第２及び第３の反射面を設けたため、或る特定の条件が満たされると、当該車両用灯具を特定の方向から見たときに第２及び第３の反射面による光源の写像によって光源の数が３倍になったように見え、これによって輝度ムラが抑えられて当該車両用灯具の美観が高められる。
【図面の簡単な説明】
【００１１】
【図１】本発明に係る車両用灯具の正面図である。
【図２】図１のＡ−Ａ線断面図である。
【図３】図１のＢ−Ｂ線断面図である。
【図４】本発明に係る車両用灯具の１つの光源ユニットの断面図である。
【図５】本発明に係る車両用灯具の１つの光源ユニットにおいて光源が３つに見えるための条件を説明するための断面図である。
【図６】本発明に係る車両用灯具の１つの光源ユニットにおいて光源が３つに見えない例を示す断面図である。
【図７】特許文献１において提案された車両用灯具の１つの光源ユニットの断面図である。
【発明を実施するための形態】
【００１２】
以下に本発明の実施の形態を添付図面に基づいて説明する。
【００１３】
図１は本発明に係る車両用灯具の正面図、図２は図１のＡ−Ａ線断面図、図３は図１のＢ−Ｂ線断面図であって、図示の車両用灯具１は、車両のバンパに埋め込まれる縦方向に細長いアクセサリランプである。
【００１４】
本実施の形態に係るアクセサリランプ１は、ハウジング２とその開口部を覆う透明なアウタレンズ３によって画成された灯室４内に、光源であるＬＥＤ５と該ＬＥＤ５から出射される光を反射させるリフレクタ６から成る複数（図示例では１０個）の光源ユニット７を縦方向（車高方向）に一列に配列して収容することによって構成されている。
【００１５】
上記ハウジング２は、光不透過性樹脂によって一体に成形されており、図１及び図２に示すように、その長手方向両端部には取付ブラケット２Ａが一体に形成されている。そして、各取付ブラケット２Ａには円孔２ａと矩形孔２ｂがそれぞれ形成されている。
【００１６】
又、図２に示すように、ハウジング２の長手方向中央部の外面には、不図示の電源から延びるコードの端部に結着された不図示のコネクタが差し込まれる凹状のコネクタ部２ｃが一体に形成されており、同ハウジング２の内面には複数（図示例では３つ）のボス２ｄが長手方向に適当な間隔で一体に突設されている。そして、これらのボス２ｄには、光源である複数の前記ＬＥＤ５を実装して成る平板状の細長い基板８がビス９によって締結されている。
【００１７】
前記アウタレンズ３は、光透過性の透明な樹脂によって細長い矩形ボックス状に一体成形されており、その開口部周縁がハウジング２に被着されることによって該ハウジング２の開口部を覆っており、該アウタレンズ３とハウジング２によって前述のように灯室４が画成されている。尚、図示しないが、アウタレンズ３の内面には配光制御用のレンズカットが施されている。
【００１８】
前記各光源ユニット７は、前述のように光源であるＬＥＤ５と該ＬＥＤ５から出射される光を反射させるリフレクタ６を備えているが、図３に示すように、リフレクタ６は、ＬＥＤ５に隣接して該ＬＥＤ５からの光を所定の方向（図３の上方）に反射させる円錐面状の第１の反射面６ａと、該第１の反射面６ａの周縁から光の出射方向（図３の上方）に略平行に延設された高さの異なる第２の反射面６ｂ及び第３の反射面６ｃを備えている。
【００１９】
而して、各光源ユニット７のリフレクタ６においては、図４に示すように、第１の反射面６ａの高さｈ１はＬＥＤ５の高さｈよりも低く設定され（ｈ１＜ｈ）、第２の反射面６ｂの高さｈ２と第３の反射面６ｃの高さｈ３はＬＥＤ５の高さよりも高く設定されるとともに（ｈ２＞ｈ、ｈ３＞ｈ）、第３の反射面６ｃの高さｈ３は第２の反射面６ｂの高さｈ２よりも低く設定されている（ｈ３＜ｈ２）。
【００２０】
以上のように構成されたアクセサリランプ１においては、各光源ユニット７のリフレクタ６に、ＬＥＤ５に隣接して該ＬＥＤ５からの光を所定の方向に反射させる第１の反射面６ａと、該第１の反射面６ａの周縁から光の出射方向に略平行に延設された高さの異なる第２の反射面６ｂ及び第３の反射面６ｃを設けたため、以下に説明する或る特定の条件が満たされると、当該アクセサリランプ１を特定の方向から見たとき、図５に示すように第２の反射面６ｂ及び第３の反射面６ｃによるＬＥＤ５の写像５’，５”によってＬＥＤ５の数が３倍になったように見える。
【００２１】
ここで、上述のようにＬＥＤ５の写像５’，５”によってＬＥＤ５の数が３倍になったように見える条件は次の通りである。即ち、各光源ユニット７において、図５に示すようにリフレクタ６の第２の反射面６ｂの高さｈ２と第３の反射面６ｃの高さｈ３を、ＬＥＤ５と第３の反射面６ｃの先端内端縁とを結んだ直線Ｌ１が光の出射方向に対して成す角度θ１が３９°、第３の反射面６ｃに写るＬＥＤ５の写像５”と第２の反射面６ｂの先端内端縁とを結んだ直線Ｌ２が光の出射方向に対して成す角度θ２が５８°以下となるよう設定すれば、当該車輌のフロントバンパに縦方向に搭載されたアクセサリランプ１を、例えば対向車とすれ違う際に視認されるθ１〜θ２の角度範囲（３８°〜５８°）において、ＬＥＤ５の数が３倍になったように見えることが実験的に確認された。この場合、リフレクタ６の第２の反射面６ｂに写るＬＥＤ５の写像５’から直線Ｌ１、Ｌ２の中心に向かう直線をＬとしたとき、リフレクタ６の第２の反射面６ｂと第３の反射面６ｃの直線Ｌ方向の幅ｂは、ＬＥＤ５と第３の反射面６ｃに写るＬＥＤ５の写像５”間の距離Ｂの２／３以上（ｂ≧２Ｂ／３）に設定されている。
【００２２】
ところで、例えば図６に示すように各光源ユニット７において上記条件が満たされない場合、例えば図示のようにリフレクタ６の第３の反射面６ｃの高さｈ３が図５に示すものよりも高い場合、第２の反射面６ｂと第３の反射面６ｃの直線Ｌ方向の幅ｂが図５に示すものよりも狭くなって、ｂ≧２Ｂ／３）・の条件を満たさないため、ＬＥＤ５の数が３倍になったようには見えない。
【００２３】
以上のように、本実施の形態に係るアクセサリランプ１においては、各光源ユニット７のリフレクタ６に、ＬＥＤ５に隣接して該ＬＥＤ５からの光を所定の方向に反射させる第１の反射面６ａと、該第１の反射面６ａの周縁から光の出射方向に略平行に延設された高さの異なる第２の反射面６ｂ及び第３の反射面６ｃを設けたため、或る特定の条件が満たされると、当該アクセサリランプ１を特定の方向から見たときに第２の反射面６ｂ及び第３の反射面６ｃによるＬＥＤ５の写像５，５”（図５参照）によってＬＥＤ５の数が３倍になったように見えるため、輝度ムラが抑えられて当該アクセサリランプ１の美観が高められるという効果が得られるとともに、灯具のレイアウトが限られるランプを設置することができるスペースが限られた状況においても、光源が複数あるように見せることができる。
【００２４】
尚、以上は本発明を車両のフロンとバンパに埋め込まれるアクセサリランプに対して適用して形態について説明したが、本発明は、車両の後部に配置されるストップランプ等の他の車両用灯具に対しても同様に適用可能であることは勿論である。
【００２５】
又、以上の実施の形態においては、光源としてＬＥＤを使用するアクセサリランプについて説明したが、本発明は、光源としてＬＥＤ以外の通常のバルブを使用する車両用灯具に対しても同様に適用可能である。
【符号の説明】
【００２６】
１        アクセサリランプ（車両用灯具）
２        ハウジング
２Ａ      ハウジングの取付ブラケット
２ａ      ハウジングの円孔
２ｂ      ハウジングの矩形孔
２ｃ      ハウジングのコネクタ部
２ｄ      ハウジングのボス
３        アウタレンズ
４        灯室
５        ＬＥＤ（光源）
５，５”  ＬＥＤの写像
６        リフレクタ
６ａ      リフレクタの第１の反射面
６ｂ      リフレクタの第２の反射面
６ｃ      リフレクタの第３の反射面
７        光源ユニット
８        基板
９        ビス
Ｂ        光源と該光源の写像杆の距離
ｂ        リフレクタの第２の反射面と第３の反射面の直線ｌ方向の幅
ｈ        ＬＥＤの高さ
ｈ１      リフレクタの第１の反射面の高さ
ｈ２      リフレクタの第２の反射面の高さ
ｈ３      リフレクタの第３の反射面の高さ
Ｌ        ＬＥＤの写像から直線Ｌ１とＬ２の中心に向かう直線
Ｌ１      ＬＥＤと第３の反射面の先端内端縁とを結ぶ直線
Ｌ２      第３の反射面に写るＬＥＤの写像と第２の反射面の先端内端縁とを結ぶ直線
θ１      直線Ｌ１が光の出射方向に対して成す角度
θ２      直線Ｌ２が光の出射方向に対して成す角度
【図１】
2014041766.tif 000003
【図２】
2014041766.tif 000004
【図３】
2014041766.tif 000005
【図４】
2014041766.tif 000006
【図５】
2014041766.tif 000007
【図６】
2014041766.tif 000008
【図７】
2014041766.tif 000009